(57)【要約】ハンドレール１４の一部を収容するように底面にガイド溝を有する、エスカレーターの進入路のハンドレール用安全装置２０を開示する。前記安全装置は、その前面の広告部４０と、側面に設けられた殺菌手段及び空気清浄装置５０とを含む。
2007520402.tif 000002
【特許請求の範囲】
【請求項１】
エスカレーターのハンドレール上に着脱可能に装着される安全装置において、前記安全装置は、
エスカレーターの進入路に位置するハンドレールの一部を収容するように、底面に形成されたガイド溝を含むことを特徴とする、安全装置。
【請求項２】
前記安全装置は、前記ガイド溝内に収容されたハンドレールを殺菌するハンドレール殺菌手段をさらに含むことを特徴とする、請求項１に記載の安全装置。
【請求項３】
前記ハンドレール殺菌手段は、前記ハンドレールに紫外線を照射する少なくとも一つの紫外線ランプを含むことを特徴とする、請求項２に記載の安全装置。
【請求項４】
前記ハンドレール殺菌手段は、前記ハンドレールに殺菌液を提供する手段を含むことを特徴とする、請求項３に記載の安全装置。
【請求項５】
前記安全装置は、その前面に前方に向かうように設けられる広告部をさらに含むことを特徴とする、請求項１に記載の安全装置。
【請求項６】
前記広告部は、ＬＥＤ表示装置、ＬＣＤ表示装置、有機ＥＬシート及びホログラムのなかで選択されたいずれか一つを含むことを特徴とする、請求項１に記載の安全装置。
【請求項７】
前記広告部には、その広告部の表示面を外部から保護するための透明シートが覆われることを特徴とする、請求項６に記載の安全装置。
【請求項８】
前記安全装置は、前記エスカレーターの進入路周辺の空気を吸いこんで殺菌及び除塵してから安全装置の外部に排出する空気清浄装置をさらに含むことを特徴とする、請求項２又は５に記載の安全装置。
【請求項９】
前記安全装置は、前記ハンドレールの開始地点から前記エスカレーターの足場開始地点までの距離に相当する長さを有することを特徴とする、請求項２又は５に記載の安全装置。
【発明の詳細な説明】
【技術分野】
【０００１】
本発明は、エスカレーターの進入路部分の安全性を確保し、ハンドレールをいつも殺菌して衛生的に管理し、企業及び商品の広告又は広報の効果を極大化することができ、エスカレーター進入路部分の空気をいつも清浄に管理するエスカレータハンドレール用安全装置に関するものである。
【背景技術】
【０００２】
一般に、エスカレーターは、所望の階だけ選択して運行するエレベーターとは違い、複数階を段階的に連結して使うから、業務用建物よりは商品の販売を目的とするデパート、多くの人々が行き交う地下鉄、空港、ターミナルなどに主に設置して使用する。最近には、同一階においても、利用者の動線を減らすためのムービングウォーク（ｍｏｖｉｎｇ ｗａｌｋ）という水平移動式のエスカレーターが設置されて使われている。
【０００３】
このように設置されて使われるエスカレーターは、その特性上、一方向にだけ移動するもので、その概略的な構成は、図１に示すように、およそ８０ｃｍ〜１２０ｃｍの間隔で互いに対向する一対のスカート１１が設置され、前記スカート１１間には、水平を維持する状態で連続的に移動する足場１２が連続して設置され、その足場１２に人が乗ると人を運送することになるものである。
【０００４】
また、前記一対のスカート１１のそれぞれには、その上側にガラス又は金属材質からなった側面部材１３が取り付けられ、前記側面部材１３の上部には、前記足場１２と同一の方向及び速度を維持しながら移動して、乗客に取っ手の役目を提供するハンドレール１４が取り付けられる。
【０００５】
このように、乗客に取っ手の役目を提供するハンドレール１４は、利用者が倒れるか滑ることを防止するもので、特に滑ることを防止するために、大部分がゴム材質で製作される。
【０００６】
しかし、前記ハンドレール１４は、エスカレーターを用いる多の人の手が直接接触する部分であるので、正常に管理されない場合には、垢が付き、人体に有害な各種のウイルス、細菌などが存在することになるため、非衛生的になるしかない。したがって、前記ハンドレール１４はいつも清潔を維持しなければならないが、これまでのハンドレール１４の管理は、中性洗剤や消毒薬水溶液を利用してハンドレール１４の表面を度々磨くことであった。
【０００７】
しかし、このような方法は、掃除員が一つ一つハンドレール１４を掃除しなければならないため、作業性が格段に低下し、人件費が高くかかる問題点が発生する。さらに、前記作業は単にハンドレール１４を掃除することに過ぎなく、ウイルスや細菌を直接殺菌、消毒することではないので、利用者はハンドレールによる細菌感染や疾病伝染などに無防備状態で露出することになる。
【０００８】
また、前記エスカレーターは多の人が用いる施設であるので、これに企業及び商品の広告又は広報をすると、その効果が極大化することができるが、これまでは、反対方向に移動するエスカレーターと交差する部位に、利用者の挟まり防止のために備えられる三角形ガイド、又は同一方向のエスカレーターに乗り換える位置に、エスカレーター間に備えられる簡易標識などがあるばかりである。
【０００９】
その一例として、大韓民国実用新案登録第２０−０２９８３６２号には、ハンドレール１４の上面に印刷層を形成し、その上にフィルムカバーを接着剤で付着してなる広告物Ｐが備えられている。しかし、この考案は、回転するハンドレール１４に沿って移動するように、その上に付着された広告物Ｐであるため、幾多の人々の手が直接接触して広告物Ｐにムラが生じるとか変色するなどの問題点があり、さらになかなか目に付かない欠点がある。
【００１０】
また、エスカレーター１０に乗る場合には、エスカレーターの進入路で先にハンドレール１４を握ってから足場１２に乗ることになる。この時、敏捷性が落ちる老弱者、あるいは判断能力が足りない乳児を含む子供たちの場合には、足を足場１２に乗せる前、移動するハンドレール１４によって先に腕が引かれて身の中心を失うとか倒れることになって怪我をする場合が発生した。
【００１１】
前記のような問題点の外にも、エスカレーターは、幾多の人が利用することになり、それによって進入路部分に各種のほこりや病源菌が空気とともに存在して非衛生的になるしかない。しかし、現在までは、エスカレーターの進入路部分が非衛生的であることを知っていながらも別途の解決方法を講ずることができない実情である。
【発明の開示】
【００１２】
したがって、本発明は前記のような諸般問題点に鑑みてなされたもので、その目的は、エスカレーターの進入路に位置するハンドレール一部を収容するハンドレール保護カバーによって、エスカレーターの進入路部分で発生する安全事故を防止することができるエスカレータハンドレール用安全装置を提供することにある。
【００１３】
本発明のほかの目的は、ハンドレール保護カバーの内部に、ハンドレールを殺菌するハンドレール殺菌手段を備えて、ハンドレールによる細菌感染や疾病伝染などを防止するエスカレータハンドレール用安全装置を提供することにある。
【００１４】
本発明のさらにほかの目的は、前記ハンドレール保護カバーの外部の所定部位に広告部を提供して企業及び商品の広告又は広報を効果的にするエスカレータハンドレール用安全装置を提供することにある。
【００１５】
本発明のさらにほかの目的は、前記ハンドレール保護カバーの内部側面に、エスカレーターの進入路周辺の空気を吸いこんで殺菌及び除塵してから排出する空気清浄装置を取り付けることで、エスカレーターの進入路部分を衛生的に管理するようにしたエスカレータハンドレール用安全装置を提供することにある。
【００１６】
前記目的を達成するため、本発明は、エスカレーターの進入路部分に位置するハンドレールに着脱可能に装着される安全装置を提供する。前記安全装置は、進入路に位置するハンドレール部分を収容するために底面に形成されたガイド溝と、前記ハンドレールを殺菌するハンドレール殺菌手段と、外側面に設けられ、搭乗者に十分な広告効果を提供する広告部とを含む。
【発明を実施するための最良の形態】
【００１７】
このような特徴を有する本発明のエスカレータハンドレール用安全装置を添付図面に基づいて詳細に説明すれば次のようである。
【００１８】
まず、本発明によるエスカレータハンドレール用安全装置は、図３に示すようである。本発明のエスカレータハンドレール用安全装置であるハンドレール保護カバー２０は、図４に示すように、底面中央部に、ハンドレール１４を収容するハンドレールガイド溝２１が所定深さに形成される。前記ハンドレールガイド溝２１は、ハンドレール１４が作動する時、ハンドレール１４と干渉しないように形成されることにより、ハンドレール１４の安全で円滑な作動を保障する。
【００１９】
このように、ハンドレール１４の作動と干渉しないようにハンドレール保護カバー２０が設置されれば、エスカレーターの進入路に位置するハンドレール１４は外部に露出しないでハンドレール保護カバー２０によって保護されることにより、従来の問題点として提起されたように、エスカレーター１０の足場１２に乗る前、ハンドレール１４を握った腕が先に引かれて身の中心を失うとか倒れて怪我をすることになる安全事故を予め防止するものである。
【００２０】
また、前記エスカレーターの進入路部分で発生し得る安全事故を防止するために設置されるハンドレール保護カバー２０の長さは、エスカレーターの進入路開始地点、すなわちハンドレール１４の開始地点からエスカレーターの足場１２開始地点までである。その理由は、エスカレーターの足場１２に乗るとき、ハンドレール１４を先に握ると、ハンドレール１４を握った手が先にハンドレール１４の移動方向に引かれて身の中心を失うことになることを防止するためである。
【００２１】
このような機能をする前記ハンドレール保護カバー２０の内部には、ハンドレール１４を殺菌するハンドレール殺菌手段３０が取り付けられる。その取り付け位置は、ハンドレール１４と対向して所定距離だけ離隔し、ハンドレール１４がハンドレール保護カバー２０の外部に露出し始めるハンドレールガイド溝２１の入口側２２又は出口側２３に取り付けることが望ましい。
【００２２】
また、前記ハンドレール殺菌手段３０は、図５ａのような紫外線ランプ３１を使うことが望ましく、必要によっては、図５ｂのような殺菌液を噴射する殺菌液噴射装置３２、あるいは図５ｃのような殺菌液を塗布する殺菌液塗布装置３３を取り付けて使うこともできる。
【００２３】
前記紫外線ランプ３１による殺菌は、細菌、ウイルス、かびなど大部分の細菌に対して効果的であるだけでなく、被照射物にもほとんど変化を与えない。また、ランプを点灯させることだけで殺菌が可能であるため、使用方法が簡単で、設置費と維持費も低くて経済的である。
【００２４】
そして、前記紫外線ランプ３１から放射された光をハンドレール１４の側面まで照射するために、光反射板３１ａを具備することが望ましく、その光反射板３１ａは光を反射させることができるステンレススチール板又は反射率の良い金属コーティング板を使うことが望ましい。
【００２５】
また、前記殺菌液噴射装置３２は、殺菌液を噴射するノズル３２ａを備え、そのノズル３２ａで殺菌液を霧状で噴射してハンドレール１４に提供するので、前記殺菌液がハンドレール１４に噴射された状態で直ぐ人がハンドレールを握るとしても、その手に殺菌液が多く付く問題点はない。
【００２６】
また、前記殺菌液塗布装置３３は、殺菌液をハンドレール１４に塗布するローラー３３ａがハンドレール１４と接触するように設けられ、そのローラー３３ａには殺菌液が供給される。このように殺菌液が供給されたローラー３３ａは、ハンドレール１４の進行によって転がりながらハンドレール１４の表面に殺菌液を塗布することになる。この時、殺菌液の塗布量は、図５ｂのノズル３２ａから霧状で噴射されてハンドレールに付く程度であるので、この殺菌液塗布装置においても、殺菌液がハンドレールに塗布された状態で直ぐ人がハンドレール１４を握るとしても、その手に殺菌液が多く付く問題点はない。
【００２７】
また、本発明のハンドレール保護カバー２０の外側前面に設けられた広告部４０は、ＬＥＤ表示装置、ＬＣＤ表示装置、有機ＥＬシート、ホログラムのなかで選択されるいずれか一つである。例えば、ＬＥＤ表示装置の場合には、ＬＥＤで多数のピクセルを構成し、各ピクセルを選択的に点滅するようにプログラミングすることで、所望の文字、ロゴなどを表示することができる。
【００２８】
前記ＬＣＤ表示装置又は有機ＥＬシートの場合には、多数のセルを構成し、各セルに選択的にバックライトを照射して、所望の文字、ロゴだけでなく、動画も表示することができる。このような表示装置は、プログラムを変更することで、容易に広告物を取り替えることができる。また、立体質感を有するホログラム又は広告用ステッカーなどが備えられることができ、その表面には、各表示装置を保護するための透明カバー４１が取り付けられる。前記透明カバー４１は、プラスチック、合成樹脂、ガラス、アクリルで製造され、設置部位に着脱可能に結合される。したがって、広告主の変更又はニューブランド発売開始などのイベントに応じて速かに広告物を取り替えることができる。
【００２９】
また、本発明のハンドレール保護カバー２０の内部側面には、エスカレーターの進入路の周辺空気を吸いこんで殺菌及び除塵してから排出する空気清浄装置５０が取り付けられる。前記空気清浄装置５０は、外部の空気を吸いこんで排出するポンプ５１と、吸い込まれた空気を殺菌する紫外線ランプ５２と、吸い込まれた空気の埃を濾すフィルター５３とからなる。
【００３０】
このような構成を有する空気清浄装置５０は、ハンドレール保護カバー２０の一側面に形成された多数の孔２４を通じて、ポンプ５１の駆動によって外部空気を吸入し、吸い込まれた空気は紫外線ランプ５２の光を照射して殺菌を行い、殺菌された空気はフィルター５３を通じて埃を濾すことで、最終的には清浄空気のみを排出し、排出された空気はハンドレール保護カバー２０の他側面に形成された多数の孔２５を通じて外部に排出される。したがって、前記エスカレーターの進入路周辺は非常に清浄な空気のみが存在するので、人の健康を損なわない利点がある。
【００３１】
一方、前記説明において、ハンドレール殺菌手段３０、殺菌液噴射装置３２、殺菌液塗布装置３３、広告部４０、及び空気清浄装置５０の電源供給は、エスカレーターを駆動するために供給される電気を分岐して供給すれば良く、前記構成品の制御は、ハンドレール保護カバー２０の内部に別に制御器（図示せず）を備えて制御するか、あるいは前記制御器をハンドレール保護カバー２０の外部に別に備えて制御すれば良い。
【００３２】
ただし、前記制御器は、エスカレーターの駆動時に作動して、前記ハンドレール殺菌手段３０、殺菌液噴射装置３２、殺菌液塗布装置３３、広告部４０、及び空気清浄装置５０を制御することが望ましい。
【産業上の利用可能性】
【００３３】
以上説明したように、本発明は、エスカレーターの進入路に位置するハンドレールの一部をハンドレール保護カバーが収容することにより、エスカレーターの進入路部分で発生する安全事故を防止することができる。
【００３４】
また、本発明のハンドレール保護カバーの内部に、ハンドレールを殺菌するハンドレール殺菌手段を取り付けることで、ハンドレールによる細菌感染及び疾病の伝染などを防止することができる。
【００３５】
また、本発明のハンドレール保護カバーの外部の選択部位に広告部を備えることで、企業の広告又は広報、あるいは製品の広告又は広報を効果的にすることができる。
【００３６】
また、本発明のハンドレール保護カバーの内部側面に、エスカレーターの進入路周辺の空気を吸いこんで殺菌及び除塵してから排出する空気清浄装置を取り付けることで、エスカレーター進入路部分をいつも衛生的に管理することができる。
【００３７】
以上、本発明の好適な実施例を例示の目的で開示したが、当業者であれば、添付した特許請求範囲に開示されたような本発明の範囲から逸脱せずに多様な修正、追加及び代替が可能であることが分かるであろう。
【図面の簡単な説明】
【００３８】
本発明の前記及びほかの目的、特徴及び利点は添付図面を参照する以降の詳細な説明からより明らかに理解可能である。
図１は一般的なエスカレーターの構成を概略的に示す斜視図である。
図２は従来のエスカレーターハンドレールに広告文句を印刷した状態を示す斜視図である。
図３は本発明によるエスカレータハンドレール用安全装置が設置された状態を示す斜視図である。
図４は本発明によるエスカレータハンドレール用安全装置の拡大斜視図である。
図５ａは本発明によるエスカレータハンドレール用安全装置において、ハンドレール殺菌手段の紫外線ランプを示す断面図である。
図５ｂは本発明によるエスカレータハンドレール用安全装置において、ハンドレール殺菌手段の殺菌液噴射装置を示す断面図である。
図５ｃは本発明によるエスカレータハンドレール用安全装置において、ハンドレール殺菌手段の殺菌液接触装置を示す断面図である。
図６は本発明によるエスカレータハンドレール用安全装置において、空気清浄装置を示す側面図である。
【図１】
2007520402.tif 000003
【図２】
2007520402.tif 000004
【図３】
2007520402.tif 000005
【図４】
2007520402.tif 000006
2007520402.tif 000007
2007520402.tif 000008
【図６】
2007520402.tif 000009
【国際調査報告】
2007520402.tif 000010
2007520402.tif 000011